(57)【特許請求の範囲】
【請求項１】
基端部（３４，１３４）と、末端部（３６）と、貫通する内腔（３８）とを有する注射針（３２，１３２）、
該注射針（３２，１３２）の前記基端部（３４，１３４）に固着して取付けられる注射針ハブ（４０）、
該注射針ハブ（４０）のシールド支持部（４４，１４４）、
該シールド支持部（４４，１４４）にヒンジ連結された基端部（７６）と、前記注射針（３２，１３２）の末端方向に配置された先端部（７８）と、両端部の間に延び前記注射針（３２，１３２）をほぼ取り囲むほぼＵ字形の囲い（８０）とを有し、前記シールド支持部（４４，１４４）の回りに前記注射針（３２，１３２）から離れるように回転可能にヒンジ止めされ側部が開放された注射針シールド（７４）、および
前記注射針（３２，１３２）の前記基端部（３４，１３４）に近接した前記シールド（７４）の一位置に向かって前記シールド支持部から延びるアクチュエータ（６０）であって、前記注射針シールド（４４，１４４）と接触し、かつ前記注射針（３２，１３２）から離れるようにヒンジ回りに回転さすべく前記シールド支持部（４４，１４４）と前記注射針（３２，１３２）に対して変位可能なアクチュエータ（６０）、
を有し、
前記側部の開放された注射針シールド（７４）は、前記注射針（３２，１３２）の１つの長手方向側部と間隔を置いた位置で前記シールド支持部（４４，１４４）にヒンジ連結され、前記アクチュエータ（６０）は、前記シールド支持部（４４，１４４）に対して前記注射針シールド（７４）の前記ヒンジ連結部と反対側の長手方向側部に配置されていることを特徴とするシールド可能な注射針アセンブリ（１０，１１０）。
【請求項２】
前記シールド支持部（４４，１４４）と前記シールド（７４）には、前記注射針シールド（７４）を前記注射針（３２，１３２）に対して前記ほぼ取り囲んだ配置で釈放自在に錠止する釈放自在な錠止装置が設けられていることを特徴とする請求項１記載のシールド可能な注射針アセンブリ（１０，１１０）。
【請求項３】
前記釈放自在な錠止装置は、前記シールド（７４）に形成されたボス（１００，１０２）と、前記シールド支持部（４４，１４４）に形成されたボス受け凹部（５４，５６）とを有することを特徴とする請求項２記載のシールド可能な注射針アセンブリ（１０，１１０）。
【請求項４】
前記アクチュエータ（６０）は前記シールド支持部（４４，１４４）と一体であることを特徴とする請求項１記載のシールド可能な注射針アセンブリ（１０，１１０）。
【請求項５】
前記アクチュエータ（６０）は前記シールド支持部（４４．１４４）から末端方向に突出し、前記注射針（３２，１３２）の両側の前記注射針シールド（７４）の部分と係合自在な突部（７０，７２）を有することを特徴とする請求項１記載のシールド可能な注射針アセンブリ（１０，１１０）。
【請求項６】
前記ハブ（４０）は、皮下注射器（１２）と前記シールド可能な注射針アセンブリ（１０，１１０）との取り外し自在なねじ係合のための突部（４２）を有することを特徴とする請求項１記載のシールド可能な注射針アセンブリ（１０，１１０）。
【請求項７】
前記注射針シールド（７４）は、基端部壁（８２）と、該基端部壁（８２）から延びていて前記注射針（３２，１３２）の両側に配置された一対の側壁（８４，８６）とを有し、前記アクチュエータ（６０）は、前記注射針シールド（７４）のそれぞれの両側壁（８４，８６）と係合すべく配置され、かつ寸法付けられている一対の突部（７０，７２）を有することを特徴とする請求項１記載のシールド可能な注射針アセンブリ（１０，１１０）。
【請求項８】
流体を保持する室（２０）を形成する細長い円筒状の本体（１６）と、開口した基端部と、末端部（１８）および該末端部（１８）から延びる先端部（２２）とを有する注射器バレル（１４）に連結され、前記先端部（２２）は前記室（２０）と流体連通する貫通した先端通路（２４）を有し、前記注射器バレル（１４）の前記先端部（２２）は前記ハブ（４０）に連結されており、前記注射針（３２）の前記内腔（３８）は前記室（２０）と流体連通していることを特徴とする請求項１記載のシールド可能な注射針アセンブリ（１０）。
【請求項９】
前記注射針ハブは、流体を保持する室を形成する細長い円筒状の本体と開口基端部および末端部とを有する注射器バレル（１１４）と一体的に形成され、前記注射針ハブは注射器バレル（１１４）の末端部と一体的に形成されて、前記室と前記注射針の前記内腔（３８）が流体連通していることを特徴とする請求項１記載のシールド可能な注射針アセンブリ（１１０）。
【発明の詳細な説明】
【０００１】
【発明の属する技術分野】
本発明は皮下注射針のような鋭く先が尖った医療器具のシールド、特に使用するために注射針を露出するよう簡単に操作できるシールドに関するものである。
【０００２】
【従来の技術】
注射針の不慮の突き刺しは、先が尖った注射針の付いた医療器具を用いる時に起こり得る。注射針の不慮の突き刺しは痛く、病気を感染することがある。新しい注射針による不慮の突き刺しは、病気を感染することはなさそうである。注射針の不慮の突き刺しに関連した危険性は周知である。従って、大抵の周知の注射針は、不慮の突き刺しにおける可能性を低減する努力として安全シールドが設けられる。
【０００３】
この安全シールドは種々の異なった形式をとっている。例えば、或る周知の皮下注射用注射器は、使用前に注射針カニューレ上に被せられた細長い丈夫なキャップを有している。このような周知のキャップによるシールドの取り外しや或は再シールドは両手を必要とし、従って、不便である。これら周知のキャップによる一層の再シールドは安全でなく、信頼されない。
【０００４】
別の周知の安全シールドは、注射器の円筒部に被せられる細長いチューブである。この周知の安全シールドは、使用の際に露出される注射針を有した注射器の円筒部の隣接位置に取外し可能に保持できる。強固な円筒状の安全シールドは、注射針カニューレが使用された後に、安全なシールド位置に端の方に進めることができる。この形の安全シールドは非常に有効であるが、両手による作業が一般的に必要である。
【０００５】
或る周知の皮下注射用注射器は、注射針の基端部近くの位置にヒンジ止めされた丈夫な安全シールドを有している。この周知の安全シールドは一方の側が開口した細長い丈夫な構造を有している。開口側は、注射針が安全シールドによって実質的に取り囲まれる第１位置から、注射針が使用のために露出される第２位置に安全シールドをヒンジ回りに回動できる。この形の安全シールドは、注射針の使用の前と使用の後に単一シールドが使用できることが望ましい。また、この形の安全シールドは、シールドが片手で被いをしたり、被いを外したりできることが望ましい。しかしながら、被いを外す操作の際に、健康管理作業者（ヘルス・ケア・ワーカー）が注射針の管状側面に触ってしまう恐れがある。特に、健康管理作業者が一方の手の４本の指で注射器の円筒部を保持して、親指でシールドの開口側に力を作用することがある。このような力はシールドを注射針カニューレから離れる方にヒンジ回りに回動するようになる。しかしながら、健康管理作業者の親指は、安全シールドが注射針から離れる方に回動する時に注射針の側部に接触することがある。この接触は、親指への不慮の突き刺しを不都合に生じるようになる。しかしながら、このような接触は、患者との関係で見られる注射針カニューレの部分の殺菌に影響を及ぼすことがある。更に、健康管理作業者が注射針からできるだけ遠くに指を保持するようできるシールドを設けるのが望ましい。
【０００６】
【課題を解決するための手段】
本発明は、注射針カニューレと一緒に使用するための片手で操作できる取り外し可能なシールドに向けられている。注射針カニューレは基端部と先の尖った先端部とを有している。基端部は注射針ハブに固着して保持できる。注射針ハブは、従来の注射器の先端部に取り外し自在に固着できる。更に別に、注射針カニューレの基端部は注射器の先端部に恒久的に固着できる。
【０００７】
安全シールドアセンブリは対向する基端部と末端部を有する細長い注射針シールドを有しており、これら基端部と末端部で注射針カニューレの長さよりも長くなっている。注射針シールドは、基端部と末端部の間に延びる丈夫なほぼＵ字形の側壁を有している。Ｕ字形の側壁は、注射針カニューレをその中に受けるような断面寸法をなしている。注射針シールドの基端部は、注射針カニューレの基端部近くで構造部にヒンジ連結されている。例えば、注射針シールドは、注射針ハブや或いは注射器のバレルの末端部にヒンジ連結することができる。代わりに、注射針シールドは、注射針ハブや或いは注射器のバレルの末端部に固着された基端部にヒンジ止めすることができる。従って、注射針シールドはシールド位置（遮蔽位置）と準備−使用位置との間をヒンジ回りに回動することができる。シールド位置において、注射針カニューレは注射針シールドのＵ字形側壁の中に受けられる。準備−使用位置においては、注射針シールドは注射針カニューレに対して角度をもって、かつ間隔を置いて整列している。
前記側部の開放された注射針シールドは、前記注射針の１つの長手方向側部と間隔を置いた位置で前記シールド支持部にヒンジ連結され、前記アクチュエータは、前記シールド支持部に対して前記注射針シールドの前記ヒンジ連結部と反対側の長手方向側部に配置されている。
【０００８】
更に、本発明の安全シールドアセンブリは、注射針カニューレの基端部近くにシールドアクチュエータを有している。シールドアクチュエータは、注射針シールドの一部と選択的に係合し、かつ注射針シールドをシールド位置から準備ー使用位置に押圧するよう手動で変位することができる。例えば、アクチュエータは、注射針シールドのヒンジに比較的に近接した注射針シールドの部分と係合するよう配置できる。これらの位置において、アクチュエータによって生じられた比較的小さな量の動きが十分な大きさの回転運動を生じる。
【０００９】
注射針シールドは、安全シールドがそのシールド位置にある時に注射針カニューレと、或いはその付近の構造部と係合する少なくとも１つの釈放自在な錠止手段を有している。釈放自在な錠止手段はそのシールド位置から準備ー使用位置への注射針シールドの意図しない回転を阻止するよう作用する。釈放自在な錠止構造は、アクチュエータに作用される指の押圧力に応答して注射針カニューレから離れる注射針シールドの回転を許すよう構成されている。注射針カニューレを覆わないようなす指の押圧力は、釈放自在な錠止構造と注射針カニューレにおける或いはその付近の対応する構造との間の錠止力に先ず打ち勝たなければならない。これら錠止力が一旦打ち勝てたならば、従って、アクチュエータに作用される指の押圧力は注射針シールドをヒンジ回りに準備ー使用位置に向かって回転するようになろう。皮下注射用注射器は、そこで通常のような具合に使用でき、注射器の円筒部を薬で充填したり、或いはまた薬を患者に注射するようできる。注射針カニューレは、そこで注射針シールドに指の押圧力を単に作用するだけで被覆でき、注射針シールドが準備ー使用位置からシールド位置に回転されて、シールド位置で注射針カニューレが注射針シールドのＵ字形側壁内に覆われる。
【００１０】
【発明の実施の形態】
本発明は多くの異なった形の実施例によって満足されると同時に、本明細書の記載が本発明の原理の例示と考えられるべきであり、図示される実施例に本発明の範囲を制限するよう意図されていないことを理解して本発明の推奨実施例が図面に図示され、かつ詳細にここに説明されよう。本発明の範囲は添付の請求の範囲および同等のものによって決められよう。
【００１１】
本発明に従ったシールド可能な注射針アセンブリは図１乃至図７に符号１０で概略的に示されている。シールド可能な注射針アセンブリ１０は皮下注射用注射器１２に用いられる。注射器１２は、円筒状の側壁１６と開口基端部（図示しない）と末端壁１８と流体受容室２０とを有する円筒部１４を備えており、流体受容室２０は開口基端部と末端壁１８との間に延びている。テーパの付いた先端部２２が末端壁１８から端の方に突出しており、先端部２２を貫通して流体受容室２０と連通する通路２４を有している。カラー２６は、円筒部１４の末端壁１８から先端部２２に同心的に取り囲む関係に突出している。カラー２６は内ねじ２８の列を有する。プランジャー３０が注射器の円筒部１４の開口末端部に延びていて、側壁１６と滑動可能に水密係合をなしている。注射器の円筒部１４内のプランジャー３０の末端の方への動きは、流体を先端部２２の通路２４を通って流体受容室２０内に引き入れる。
【００１２】
シールド可能な注射針アセンブリ１０は、基端部３４と、反対側の末端部３６と、両端部の間に連続して延びる内腔３８とを有するカニューレ３２を備えている。注射針のカニューレ３２の基端部３４はボス４０に埋設して固着されている。ボス４０は、カラー２６の内ねじ２８と取り外し可能にねじ着される突部４２を有する。従って、ボス４０は、注射針のカニューレ３２の内腔３８と流体連通関係に注射器１２の先端部２２を通って通路２４が配置されるようにできる。
【００１３】
更に、ボス４０は、突部４２から十分に離れた位置にシールド支持部４４を有しており、ボス４０がカラー２６にねじ着される時に、シールド支持部４４のためにカラー２６を成る可く離すようにしている。ここに記載されるように、シールド支持部４４はボス４０の一体的な部分である。別の実施例では、シールド支持部４４はボス４０と別に成形することができ、ボス４０に取付けて固着することができる。シールド支持部４４は、注射針のカニューレ３２の反対側に互いに間隔を置いた平行な関係に配置されたアーム４６、４８を有している。アーム４６、４８は同軸心上に整列されたピボット孔５０、５２を有しており、これらピボット孔５０、５２は夫々注射針のカニューレ３２に対してほぼ直交して延びている。更に、アーム４６、４８は錠止凹部５４、５６を有しており、これら錠止凹部５４、５６はピボット孔５０、５２と注射針カニューレ３２の中間の位置にて互いに向かい合って面した関係に夫々配置されている。
【００１４】
更に、シールド可能な注射針アセンブリ１０はシールドアクチュエータ６０を有しており、このシールドアクチュエータ６０は、ピボット孔５０、５２と大体反対側でシールド支持部４４の位置から離れて延びている。従って、注射針カニューレ３２はアクチュエータ６０とピボット孔５０、５２の間に好適に配置されている。アクチュエータ６０はシールド支持部４４と成る可く一体的に成形され、更に、シールド支持部４４はボス４０と一体的に成形されている。好んでではないが、アクチュエータ６０とシールド支持部４４とボス４０は注射器のバレル１４と一体的に成形できる。しかしながら、他の実施例では、アクチュエータ６０はシールド支持部４４とは別に成形して、シールド支持部４４に取付けたり、或いは接着剤やピンまたは同様なもの等でボス４０と一体にできる。更に別の実施例では、アクチュエータ６０はボス４０と一体にして、シールド支持部４４から離される。
【００１５】
アクチュエータ６０は夫々対向した基端部６２および末端部６４と、両端部の間のトリガー６６とを有している。アクチュエータ６０の基端部６２は、シールド支持部４４の基端部と一体的に成形されたり、或いは該基端部に接合される。本例では、トリガー６６はほぼ平らで、注射針カニューレ３２に対して成る可くはほぼ平行な関係にアクチュエータ６０の基端部６２から離れて延びている。トリガー６６は、指による操作を容易にするために複数個の突部６８を有している。
【００１６】
アクチュエータ６０の末端部６４はトリガー６６に対して傾斜して延び、注射針カニューレ３２に向かって突出している。更に、末端部６４は成る可くＵ字形をしており、両側に側突部７０、７２を有している。アクチュエータ６０は弾性変形可能なプラスチック材料から作られる。従って、トリガー６６に作用される指の押圧力は、注射針カニューレ３２に向かってアクチュエータ６０の末端部６４を変形する。最大変形の下で、末端部６４の側突部７０、７２は注射針カニューレ３２の両側を通過できる。しかしながら、トリガー６６から指の押圧力を取り除くと、アクチュエータ６０は、図２に最も明確に示されるように、不変形状態に弾性的に戻される。
【００１７】
更に、シールド可能な注射針アセンブリ１０は注射針シールド７４を有する。注射針シールド７４はプラスチック材料から成る可く一体的に成形された細長い丈夫な構造であり、基端部７６と末端部７８と、これら両端部７６、７８の間に連続的に延びるＵ字形の囲い８０とを有している。Ｕ字形の囲い８０は基端部壁８２と、この基端部壁８２から互いにほぼ平行に延びる対向した側壁８４、８６とによって区画されている。図１乃至図４に示される状態において、注射針カニューレ３２は、Ｕ字形囲い８０の基端部壁８２と両側壁８４、８６内にシールド、すなわち被覆されている。両側壁８４、８６は縁部９０、９２で終わっていて、Ｕ字形囲い８０に対して開口部を形成しており、この開口部内に注射針カニューレ３２が良好に収容できるようになっている。側壁８４、８６は、ここに更に説明されるように、縁部９０、９２がアクチュエータ６０の側突部７０、７２と一致するように構成されている。更に、側壁８４、８６は、シールド支持部４４のアーム４６、４８の間に受けられるべき間隔に成る可く隔てられている。注射針シールド７４の末端部７８は、Ｕ字形囲い８０の基壁部８２と両側壁８４、８６の間に延びてこれら基壁部８２と両側壁８４、８６を連結する末端壁９４によって成る可く区画されている。末端壁９４は、必要ではないが、注射針シールド７４のための強度を設けると共に、注射針シールド７４が図１乃至図４に示される位置にある時に、注射針カニューレ３２の尖った先端部３６との接触を阻止するよう助ける。
【００１８】
注射針シールド７４の基端部７６はピン９６、９８を有しており、これらピン９６、９８は側壁８４、８６から同軸的に突出しており、シールド支持部４４の孔５０内に枢支されている。ピン９６、９８は注射針シールド７４を図１乃至図４に示されるシールド位置（遮蔽位置）から図５乃至図７に示される準備ー使用位置に回動するようにできる。
【００１９】
注射針シールド７４の側壁８４、８６には、注射針シールド７４の基端部７６にほぼ隣接してボス１００、１０２が設けられている。ボス１００、１０２は、シールド支持部４４のアーム４６、４８の錠止凹部５４、５６とスナップ係合すべく設けられ、かつ大きさをなしている。注射針シールド７４の側壁８４、８６はシールド支持部４４のアーム４６、４８間に成る可く滑動して受けられるべき大きさに作られている。しかしながら、ボス１００、１０２は、シールド支持部４４のアーム４６、４８間の間隔よりも大きな寸法に形成されている。その結果、シールド支持部４４のアーム４６、４８と注射針シールド７４の側壁８４、８６は、ボス１００、１０２がシールド支持部４４の錠止凹部５４、５６に係合するようスナップ止めされるべく僅かに変形されなければならない。
【００２０】
シールド可能な注射針アセンブリ１０は図１乃至図４に示されるようにシールド位置（遮蔽位置）にある。この位置において、注射針カニューレ３２は注射針シールド７４の基端部壁８２と側壁８４、８６との間に受容される。注射針シールド７４は、ボス１００、１０２とシールド支持部４４の錠止凹部５４、５６との係合によってこの位置に取り外し自在に錠止される。この構造は、注射針に対する実質的な取り囲み位置に注射針シールドを取り外し可能に錠止する望ましい手段を有する。２つのボスと２つの錠止凹部が望ましいけれども、１つだけのボスと１つだけの錠止凹部だけを有するのも本発明の範囲の内である。同様に、ボスと錠止凹部の位置を逆転できるので、ボスがシールド支持部にあって、錠止凹部が注射針シールドにあるようにされる。また、多くの他の構成が本発明の範囲内にあって、注射針シールドに１つまたは複数個の突部を有し、注射針シールドを取り外し自在に錠止するよう注射針ハブの構造と係合する。更に、本発明の範囲内には、注射針シールドに釈放自在な錠止構造を含むものであり、該錠止構造が注射針カニューレと接触して注射針カニューレを変位させるか、或いはシールドが注射針保護位置に回転される時に注射針カニューレによって変位されるものである。
【００２１】
注射器１２は、アクチュエータ６０のトリガー６６に指の押圧力を作用することによって使用できる。特に、一方の手の４本の指で注射器のバレル１４を保持するヘルスケアワーカーは、同じ手の親指でトリガー６６に指の押圧力を作用できる。トリガー６６のこの指の押圧力はアクチュエータ６０を注射針カニューレ３２に向かって変位するようできる。アクチュエータ６０の先端部６４の突部７０、７２は注射針シールド７４の側壁８４、８６の縁部９０、９２間に押圧される。この力はボス１００、１０２が錠止凹部５４、５６に隣接したシールド支持部４４の側壁４６、４８部分に力を作用するようになす。この力の結果、注射針シールド７４の側壁８４、８６とシールド支持部４４のアーム４６、４８が反対方向に僅かに変位されるようになる。十分な変位の後、ボス１００、１０２は錠止凹部５４、５６から自由になり、アクチュエータ６０のトリガー６６の指の力がピン９６、９８回りの注射針シールド７４の枢動運動を加速するようになり、従って、注射針シールド７４は図５および図６に示される準備−使用位置に動く。
【００２２】
皮下注射用注射器１２は、そこで注射針シールド７４により邪魔されることなく通常のように使用できる。使用後、注射針カニューレ３２は、注射針シールド７４の基端部壁８２に指の押圧力を単に作用するだけで再び覆うことができる。このような指の押圧力は注射針シールドを図１乃至図４に示される遮蔽状態に向かって戻すよう回転する。注射針シールド７４が図１および図２に示される状態に達すると、ボス１００、１０２はシールド支持部４４のアーム４６、４８と係合する。上述したように、注射針シールド７４の側壁８４、８６はこの指の押圧力に応答して僅かに変位して、ボス１００、１０２が錠止凹部５４、５６と係合してスナップ止めされるようなし、図１および図２に明示される遮蔽された状態に注射針シールド７４を釈放可能に錠止する。
【００２３】
注射針カニューレ３２の開放と被覆は、注射針カニューレ３２の上またはその付近に指を置くことなく片手で効果的に達成できる。特に、上述したように、開放は、注射針カニューレ３２に近接した位置でアクチュエータ６０に指の押圧力を単に作用するだけで達成できる。また、被覆は、注射針シールド７４の基端部近くの位置で注射針シールド７４の基端部壁８２に指の押圧力を単に作用するだけで片手で行うことができる。シールド支持部４４の錠止凹部５４、５６に対するボス１００、１０２の係合離脱作動は、被覆および／または開放が適宜完了されることの視覚的表示と触角的表示を好適に行う。
【００２４】
図８は本発明の別の遮蔽可能な注射針アセンブリ１１０を示す。本例は、注射器のバレル１１４の先端部１２２がバレル１１４と一体的に作られていて、図１乃至図７の実施例のハブが行うように作用することを除いて図１乃至図７の実施例と同様に作用する。注射針カニューレ１３２の基端部１３４は先端部１２２に取付けられる。同様に、シールド支持部１４４はバレル１１４の先端部１２２に取付けられる。従って、先端部１２２は、ハブが注射器のバレルに一体的に成形されるようにハブ作用をする。本発明のこの実施例は、中間ハブなしで普通に注射針カニューレが注射器のバレルに直接に取付けられる予め注入された注射器に理想的に適合される。バレル１１４はガラスまたはプラスチックで作ることができる。
【図面の簡単な説明】
【図１】本発明に従ったシールド可能な注射針アセンブリの斜視図である。
【図２】図１のシールド可能な注射針アセンブリの一部断面した側面図である。
【図３】図１のシールド可能な注射針アセンブリの底面図である。
【図４】図２の４−４線に沿ったシールド可能な注射針アセンブリの断面図である。
【図５】準備−使用位置に向かって動かされたシールドを示すシールド可能な注射針アセンブリの斜視図である。
【図６】注射針カニューレが露出されたシールド可能な注射針アセンブリの側面図である。
【図７】図６のシールド可能な注射針アセンブリの末端部の端面図である。
【図８】本発明のシールドされた注射針アセンブリの別の実施例の側面図である。
【符号の説明】
１０  シールド可能な注射針アセンブリ
１２  皮下注射用注射器
１４  バレル
２０  室
２２  先端部
２４  通路
２６  カラー
２８  ねじ
３０  プランジャー
３２  注射針カニューレ
３４  基端部
３６  末端部
３８  内腔
４０  ボス
４２  突部
４４  シールド支持部
４６  アーム
４８  アーム
５０  ピボット孔
５２  ピボット孔
５４  錠止凹部
５６  錠止凹部
６０  アクチュエータ
６２  基端部
６４  末端部
６６  トリガー
７０  突部
７２  突部
７４  注射針シールド
７６  基端部
７８  末端部
８０  囲い
８２  基端部壁
８４  側壁
８６  側壁
９０  縁部
９２  縁部
９４  末端部
９６  ピン
９８  ピン
１００  ボス
１０２  ボス
１１０  注射針アセンブリ
１１４  バレル
１２２  先端部
１３２  注射針カニューレ
１４４  シールド支持部
【図１】
0003936462.tif 000002
【図２】
0003936462.tif 000003
【図３】
0003936462.tif 000004
【図４】
0003936462.tif 000005
【図５】
0003936462.tif 000006
【図６】
0003936462.tif 000007
【図７】
0003936462.tif 000008
【図８】
0003936462.tif 000009